(57)【要約】【課題】屈曲自在の管結合用のパイプ用ソケット及びそれを用いた管結合構造体体を提供する。【解決手段】円筒状体であって、該円筒状体の中央部に開閉部を有し、両端の側面の内部円周上にリブストッパーを設けたものからなるパイプ用薄型円筒状ソケット、及び該円筒状ソケットのリブストッパーと、結合される管と管の間にゴムパッキングが固定固着され、該２つの管の端部側面の凹部又は該凹部に嵌められたゴムパッキングの割れ目とを嵌合して結合してなるパイプ用薄型円筒状ソケットで結合された管結合構造体体であって、結合された管は曲折に対応して屈曲自在のものとなり、曲折のある管路内の管として最適のものである。【選択図】図３
2004324777.tif 000002
【特許請求の範囲】
【請求項１】
円筒状体であって、その中央部に開閉部を有し、両端の側面の内部円周上にリブストッパーを有するパイプ用薄型円筒状ソケット。
【請求項２】
円筒状体の両端部がＲ型又は山型に構成されたものからなる請求項１記載のパイプ用薄型円筒状ソケット。
【請求項３】
円筒状体の中央部断面構造が中央部が高い三角型状構造のものからなる請求項１記載のパイプ用薄型円筒状ソケット。
【請求項４】
円筒状体が金属製である請求項１記載のパイプ用薄型円筒状ソケット。
【請求項５】
請求項１のパイプ用薄型円筒状ソケット及び管と管の間に該管とほぼ同一の厚さのゴムパッキングを嵌合させて管と管を固着固定し、該管のそれぞれの端部側面に凹部を形成し、該凹部とパイプ用薄型ソケットの両端部に有するリブストッパーを嵌合結合させてなるパイプ用薄型円筒状ソケットで結合された管結合構造体。
【請求項６】
結合する管の端部側面の凹部がその中央に割れ目を有するゴムパッキングを嵌合したものである請求項５記載の管結合構造体。
【請求項７】
結合される管が塩ビ管であり、パイプ用薄型円筒状ソケットがステンレス製である請求項５又は６記載の管結合構造体。
【発明の詳細な説明】
【０００１】
【発明の属する技術分野】
本発明は既設管路内面に設ける光通信ケーブル等の増設管に用いる管を結合するためのパイプ用薄型円筒状ソケット特に極薄型円筒状ソケット及びそれを用いて結合された管結合構造体に関する。
【０００２】
【従来の技術】
従来、既設管路内面の増設管に設けられる管等の結合に用いられているソケットは図８に示す中央部に結合手１２を有する断面形状がＴ字型のものであった。
この分野ではこれに関する文献はなく、又それが普通である。
【０００３】
【発明が解決しようとする課題】
従来のソケットは単に塩ビ管等の管の間に断面形状がＴ字型のソケット（結合手）を挿入嵌合して結合がなされるものであって、従来のものでは曲折する管路内では該結合部分は曲折部分に適合して屈曲することは困難であり、曲折する管路内に使用して満足のいくものではなかった。本発明は、既設管路等の曲折する管路内面に使用でき、該曲折部に対応して屈曲が自在の結合された管を得るためのパイプ用薄型円筒状ソケット及び該円筒状ソケットで結合された管結合構造体を提供することを目的とするものである。
【０００４】
【課題を解決するための手段】
本発明者は前記の課題を解決すべく鋭意研究の結果、増設管等の管の結合用として薄型の円筒状体の両端内部にリブストッパーを設けた薄型円筒状ソケットにより、前記の課題が解決できることを見出し、本発明に到達したものである。
即ち、本発明は、（１）円筒状体であって、その中央部に開閉部を有し、両端の側面の内部円周上にリブストッパーを有するパイプ用薄型円筒状ソケット、（２）円筒状体の両端部がＲ型又は山型に構成されたものからなる（１）記載のパイプ用薄型円筒状ソケット、（３）円筒状体の中央部断面構造が中央部が高い三角型状構造のものからなる（１）記載のパイプ用薄型円筒状ソケット、（４）円筒状体が金属製である（１）記載のパイプ用薄型円筒状ソケット、（５）（１）のパイプ用薄型円筒状ソケット及び管と管の間に該管とほぼ同一の厚さのゴムパッキングを嵌合させて管と管を固着固定し、該管のそれぞれの端部側面に凹部を形成し、該凹部とパイプ用薄型ソケットの両端部に有するリブストッパーを嵌合結合させてなるパイプ用薄型円筒状ソケットで結合された管結合構造体、（６）結合する管の端部側面の凹部がその中央に割れ目を有するゴムパッキングを嵌合したものである（５）記載の管結合構造体、（７）結合される管が塩ビ管であり、パイプ用薄型円筒状ソケットがステンレス製である（５）又は（６）記載の管結合構造体、に関する。
【０００５】
本発明は既設管路（主に下水管）内面の管路更生用管（通称さや管工法に用いる管）、ケーブル等設置のための管、増設管等の管の結合用の薄型特に極薄型の円筒状ソケットであり、これを用いた管の結合構造体である。この管結合体は曲折に対して屈曲自在のものである。
本発明のパイプ用薄型円筒状ソケット及び該薄型円筒状ソケットを用いて結合された管結合構造体体について、以下に詳しく説明する。
図１は本発明のパイプ用薄型円筒状ソケットの斜視模式図であり、（Ａ）は円筒状ソケットを閉じた状態を示す模式図であり、（Ｂ）は円筒状ソケットを開いた状態を示す模式図である。図２は本発明のパイプ用薄型円筒状ソケットのリブストッパーを示す断面構造模式図であり、（Ａ）はパイプ用薄型円筒状ソケットの両端部がＲ型のものであり、（Ｂ）はパイプ用薄型円筒状ソケットの両端部が山型のものであり、（Ｃ）はパイプ用薄型円筒状ソケットの円筒状体中間部が山型となっているものの模式図である。図３は本発明のパイプ用薄型円筒状ソケットを用いて管を結合した管結合構造体体の斜視透視模式図であり、図４は本発明のパイプ用薄型円筒状ソケットを用いて管を結合した管結合構造体体の斜視透視模式図であり、図５は本発明のパイプ用薄型円筒状ソケットを用いて管を結合した管結合構造体体の断面構造模式図であり、（Ａ）は管に形成した凹部に円筒状ソケットのリブストッパーを嵌合させたものの模式図であり、（Ｂ）は管の凹部にゴムパッキングを嵌めたものにリブストッパーを嵌合させたものの模式図である。図６は結合される管と管の間に設けられるゴムパッキングＡの構造模式図である。図７は管の端部側面の凹部に設けられるゴムパッキングＢの構造模式図である。図中１は本発明のパイプ用薄型円筒状ソケット、２はリブストッパー、３は円筒状体開閉部、４は円筒状体ソケット両端部Ｒ型部、４’は円筒状体両端部山型部、４”は円筒状体側面中央部の山型部、５及び５’は管、６は管の端部側面に設けられた凹部、７は管と管の間のゴムパッキングＡ、８及び８’はゴムパッキングＡの両端固定膜、９は管の端部側面凹部に嵌められるゴムパッキングＢ、１０はゴムパッキングＡの嵌合割れ目である。
【０００６】
【発明の実施の形態】
本発明のパイプ用薄型円筒状ソケット１は図１及び図２に示すように円筒状体の両端側面内部にリブストッパー２を有し、円筒状体が開閉する開閉部３からなり、開閉部３は嵌合するための凸部ａと凹部ｂ及び固定具ｃ及びｃ’が設けられている。円筒状体の両端部はＲ型４、山型４’の角度が設けられたもの、又は円筒状体の側面中央部に山型の角度４”が設けられたものからなる。
図３〜図５に示すように、本発明のパイプ用薄型円筒状ソケット１は管５及び５’の２つの管を結合するものであり、管５と管５’の中間部にゴムパッキングＡ７を設け、管５及び管５’の側面に設けられた凹部６に円筒状ソケット１に設けられているリブストッパー２と嵌合し結合される（図５（Ａ））。又、管に設けられた凹部６にゴムパッキングＢ９を嵌め、円筒状ソケットのリブストッパーと嵌合結合する（図５（Ｂ））。ゴムパッキングＡ７は図６に示すように管５と管５’の中間部に設けられる。該ゴムパッキングＡ７の両端部には管５及び管５’とを固着固定するための固定膜８及び８’を有する。又、ゴムパッキングＢ９は図７に示すように円筒状ソケットのリブストッパー２と嵌合する割れ目１０をその中央部に有するもので、結合される管の端部側面の凹部６に嵌められる。
本発明の円筒状ソケットはプラスチック管、例えば塩ビ管の結合に用いられる。その材質は金属製、例えばステンレス製であり、０．５〜１ｍ／ｍの厚さのものであり、極薄型のものである。大きさは、結合される管の大きさ（径）、厚さ等により適宜選択される。
本発明の円筒状ソケットにはその両端部の内面に管と結合し、管を固定するためのリブストッパーが設けられている。例えば管の外径２４０ｍｍ、厚さ６ｍｍの塩ビ管を結合する際には該塩ビ管がその中に挿入できる大きさの内径の両端部を有し、長さ約５００ｍｍの大きさの円筒状体とし、該両端部には山型又はＲ型のふくらみを設け、円筒状体の胴体の径は円筒状体両端部の径よりもやや大きい径の円筒状体とする。そして、例えば円筒状体の長さが１１５ｍｍとした場合、該円筒状体の両端部の端より例えば２５ｍｍの位置に円筒状体の側面より内部に約４ｍｍの長さのリブストッパー２がそれぞれ設けられる。このパイプ用薄型円筒状ソケットを用いて、厚さ６ｍｍの厚みの塩ビ管を結合する場合、該塩ビ管に該管の端部より２５ｍｍの点を中心とし、５ｍｍの巾で深さ３ｍｍの凹部６が設けられ、これに円筒状リブストッパーを嵌合結合する。該凹部には別法としてゴムパッキングＢ９が嵌められる。該ゴムパッキングＢ９にはリブストッパー２が嵌合するための割れ目１０が設けられ、これにリブストッパー２が嵌合結合される。該リブストッパー２の長さは円筒状体の側面より内部に４ｍｍの長さであり、該円筒状ソケットは該塩ビ管よりも外径が１．５ｍｍ大きいものとされているので、該凹部６又は該凹部６に嵌められている該ゴムパッキングＢと結合する部分のリブストッパーの長さは２．５ｍｍである。又、該ゴムパッキングＢ９の割れ目１０の深さも２．５ｍｍとされており、この場合はこの割れ目にリブストッパーが挿入嵌合される。
又、リブストッパーは円周内部全体の連続した状態であるものの外に、不連続に分割された状態に設けられていてもよい。
そして、本発明のパイプ用薄型円筒状ソケットでの塩ビ管の結合には、結合される管と管の間にゴムパッキングＡ７が設けられる。該ゴムパッキングＡ７は図５に示すように結合される塩ビ管と同一の厚さ及び径を有するものであり、図６に示すようにその端部には結合される管５、５’を固着固定するための固定膜８及び８’を有してもよい。
本発明のパイプ用薄型円筒状ソケットとゴムパッキングＡ７及び管の端部側面に設けた凹部又は該凹部に嵌められたゴムパッキングＢ９を用いて結合された塩ビ管等の管は曲折に対して対応でき、曲折する管路内に適用する管として最適のものである。
パイプ用薄型円筒状ソケットの中央の開閉部３は図１（Ｂ）に示すように管と管とを結合する際に開き、リブストッパー２と嵌合する管に設けられた凹部又は該凹部に嵌められているゴムパッキングＢ９の割れ目１０とを嵌合させ、管を嵌合結合した後、図１（Ａ）及び図３に示すようにａ及びｂを嵌め、ｃの結合手にｃ’の止め具を嵌めて結合して閉じ、管の結合を完了するものであり、その結合の操作は極めて簡単なものであり、管の凹部と管と管との間のゴムパッキングにより、結合された管は曲折に対応して屈曲できるという作用を有する。
円筒状ソケットの両端部をＲ型４及び山型４’に成型するのは、管と管を接合し管路内更生管（通称さや管工法と言う）として挿入する場合の引掛防止と滑走効果を得るためのものであり、同様にその側面中央部が山型４”のものも同様の作用を有するものである。山型４”のものはその山部で最大の径を有する円筒状ソケットとなり、その径の大きさはＲ型４及び山型４’で構成される円筒状体の外径と同一の大きさである。
【０００７】
【実施例】
以下に本発明を実施例により説明するが、本発明はこれに限定されるものではないことは云うまでもない。
〔実施例１〕
厚さ６ｍｍ外径    ｍｍの塩ビ管を結合した。結合される塩ビ管には、その端から２５ｍｍを中心とする巾５ｍｍ、深さ３ｍｍの凹部６をそれぞれ設けた。又、塩ビ管と塩ビ管の間にゴムパッキングＡ７を設けた。該ゴムパッキングＡ７は厚さ６ｍｍ、巾１５ｍｍの管状物であり、該管状物の両端には巾１０ｍｍの固定膜８、８’を設けたものからなる。固定膜８及び８’は結合される塩ビ管とゴムパッキングＡとを固着固定するものである。
パイプ用薄型円筒状ソケット１は厚さ０．８ｍｍのステンレス製のもので、円筒状体の両端の内径は結合される塩ビ管の外径よりやや大き目のもので該塩ビ管がその中に嵌めこまれる大きさのものであり、その全長Ｄは１１５ｍｍのものであった。該円筒状体両端でＲ型（又は山型）にふくれ上り、該円筒状体側面部の外径は該両端部の外径＋１．５×２ｍｍの大きさのものである。円筒状ソケット１の両端部より２５ｍｍの位置にリブストッパー２が設けられている。このリブストッパーは円筒状体側面より内面に向って４ｍｍの長さのものである。
パイプ用薄型円筒状ソケット１を中央の開閉部３で開き、前記の結合される管と管の間にゴムパッキングＡ７を嵌合し、該ゴムパッキングＡ７で固着した塩ビ管のそれぞれの凹部６にリブストッパー２をそれぞれ挿入嵌合し該円筒状ソケット１の開閉部３を閉じて結合手ｃに止め具ｃ’を嵌めて固定し、図３〜図５（Ａ）に示すように一体に管を結合した結合体を得た。
このパイプ用薄型円筒状ソケット１により結合された塩ビ管は屈曲性が良好で曲折のある管路に設置するのに最適のものであった。
【０００８】
〔実施例２〕
結合される塩ビ管の凹部６にゴムパッキングＢ９を嵌め、該ゴムパッキングＢ９の中央の割れ目２．５ｍｍの深さのものとしたものを使用し、該ゴムパッキングＢ９の中央の割れ目にパイプ用薄型円筒状ソケットのリブストッパー２を嵌合した以外は実施例１と同様にして、図５（Ｂ）に示す構造を有する塩ビ管構造体が得られた。このパイプ用薄型円筒状ソケット１により結合された塩ビ管は屈曲性が良好で曲折のある管路に設置するのに最適のものであった。
【０００９】
【発明の効果】
本発明のパイプ用薄型円筒状ソケットは金属製特にステンレスの薄型のソケットであり、開閉自在の円筒状のものでそれに設けられているリブストッパーにより、強固に管と管を結合することができるものである。又、結合される管に設けられている凹部又は該凹部のゴムパッキング及び管と管の間に固着固定するゴムパッキングの作用と共に、本発明の円筒状ソケットで結合した管は曲折に対して自在に対応できる屈曲性のあるものであり、管と管の間にあるゴムパッキンは進入水、漏水等に対する止水効果もあり、曲折のある管路内に使用する管の結合に極めて優れている。又、その結合の操作も円筒状ソケットを用いて嵌合するだけで極めて簡単な操作で行えるものであり、極めて優れたソケットと言えるものである。
【図面の簡単な説明】
【図１】本発明のパイプ用薄型円筒状ソケットの斜視模式図であり、（Ａ）は閉じた状態、（Ｂ）は開いた状態の模式図である。
【図２】本発明のパイプ用薄型円筒状ソケットのリブストッパーを示す断面模式図であり、（Ａ）はＲ型、（Ｂ）は山型、（Ｃ）は中央山型のものを示す模式図である。
【図３】本発明のパイプ用薄型円筒状ソケットを用いて管を結合した管結合構造体体の斜視模式図である。
【図４】本発明のパイプ用薄型円筒状ソケットを用いて管を結合した管結合構造体体の斜視透視模式図である。
【図５】本発明のパイプ用薄型円筒状ソケットを用いて管を結合した管結合構造体体の断面模式図であり、（Ａ）は管の凹部に結合する状態、（Ｂ）は管の凹部にゴムパッキングが嵌められたものに結合する状態を示す模式図である
【図６】管と管の間に設けられるゴムパッキングＡの構造模式図であり、（Ａ）は斜視模式図、（Ｂ）は断面模式図である。
【図７】結合される管の端凹部に設けられるゴムパッキングＢの構造模式図であり、（Ａ）は斜視模式図、（Ｂ）は断面模式図である。
【図８】従来の管結合のためのソケットの模式図であり、（Ａ）は断面模式図、（Ｂ）は斜視模式図である。
【符号の説明】
１．本発明のパイプ用薄型円筒状ソケット
２．リブストッパー
３．円筒状ソケット開閉部
４．円筒状ソケット両端部Ｒ型部
４’．円筒状ソケット両端部山型部
４’’．円筒状ソケット中央部山型部
５，５’．塩ビ管
６．管の両端部に設けられた凹部
７．ゴムパッキングＡ
８及び８’．ゴムパッキングＡの両端固定膜
９．ゴムパッキングＢ
１０．ゴムパッキングＢの割れ目
１１．従来の管結合用ソケット
１２．管結合手
【図１】
2004324777.tif 000003
【図２】
2004324777.tif 000004
【図３】
2004324777.tif 000005
【図４】
2004324777.tif 000006
【図５】
2004324777.tif 000007
【図６】
2004324777.tif 000008
【図７】
2004324777.tif 000009
【図８】
2004324777.tif 000010